(57)【特許請求の範囲】
【請求項１】
内燃機関と、この内燃機関によって駆動されるポンプと、このポンプの吸気を負圧管路等の真空吸引力供給部に連通させる第１連通手段とを具備した内燃機関駆動のポンプ装置において、前記ポンプの吐気を噴出源として真空吸引力を発生するエゼクタと、このエゼクタの吸気を前記真空吸引力供給部に連通させる第２連通手段とを備えたことを特徴とする内燃機関駆動のポンプ装置。
【請求項２】
第１連通手段の連通状態を遮断可能な切換手段を備えたことを特徴とする請求項１記載の内燃機関駆動のポンプ装置。
【請求項３】
前記内燃機関の吸気を前記ポンプの吸気に連通させる第３連通手段を備えたことを特徴とする請求項１又は２に記載された内燃機関駆動のポンプ装置。
【請求項４】
前記エゼクタが、前記ポンプの吐気に代えて前記ポンプの吐気の一部，前記内燃機関の排気の全部，前記内燃機関の排気の一部，前記ポンプの吐気の全部と前記内燃機関の排気の全部との総て，前記ポンプの吐気の全部と前記内燃機関の排気の全部との一部，前記ポンプの吐気の一部と前記内燃機関の排気の全部との総て，前記ポンプの吐気の一部と前記内燃機関の排気の全部との一部，前記ポンプの吐気の全部と前記内燃機関の排気の一部との総て，及び前記ポンプの吐気の全部と前記内燃機関の排気の一部との一部のうち何れか１つをその噴出源とするものであることを特徴とする請求項１乃至請求項３の何れかに記載された内燃機関駆動のポンプ装置。
【発明の詳細な説明】
【０００１】
【発明の属する技術分野】
この発明は、内燃機関によりポンプを駆動するポンプ装置に関し、詳しくは、ポンプの吸気をエゼクタの吸気で補足する内燃機関駆動のポンプ装置に関する。かかるポンプ装置は、吸気による真空吸引力の発生源として用いられる。例えば、地下埋設管の設置や補修などで土砂等を掘り取る際に既存の土中埋設物を損傷することなく土壌を掘り取るために真空吸引力を利用する土壌掘削装置などに用いられる。
【０００２】
あるいは、震災等で管内に貯った土砂や泥水を除去するために管内差水を管外へ吸い出す場合や、管内へのシール施工に先立つクリーニングとして管内ダストを吸引する場合、管内にライニングする樹脂を吸引する場合、サンドブラストによる管継手・バルブ等の研磨後のケイ砂を回収して清掃する場合、管内除錆のためのショットブラスト後に管内でピグを吸引してケイ砂および錆を除去する場合、さらに管内でパラシュートおよびスポンジピグを吸引して水抜き・異物除去等のクリーニングを行う場合などに、真空吸引力を発揮する。
【０００３】
なお、ここで、内燃機関駆動のポンプ装置が利用される土壌掘削の分野について詳述する。
アスファルト舗装面などを掘り崩したり掘り起こしたりするには、ハンマーを圧搾空気等で強引に打ち込む破砕機や、大きなバケットで強力にすくい上げるパワーショベルなどが一般に用いられる。しかし、これらは、強力で作業効率が良い反面、大きな衝撃音や騒音を発するというマイナス面がある。さらに、強力すぎて、地下に埋設管等が既設されていた場合にこれに誤って触れると直ちにその被接触部の破壊や極端な変形等の不都合を招来するという面もある。そこで、それほどの掘削能力がなくても間に合うような地中における掘り起こしには、埋設管等を壊すことが無いように、人手で持っての操作が可能な破砕機や、真空掘削機も併用されている。
【０００４】
かかるハンディ型の破砕機としては、実開昭５９−１６０１７４号公報記載のものが知られている。この破砕機は、ハンドル部から下方に延びる筒体の先端にノミ刃を設けると共に、コンプレッサから供給された圧搾空気をノミ刃先端まで送る通路を設け、上記ノミ刃の部分に圧搾空気の一部を噴射する噴射口を設けた構成のものである。そして、ノミ刃による機械的な破砕に加えて、ノミ刃の近くから噴射した圧搾空気での土砂の吹き飛ばしや細分化等によっても土壌の破砕が行なわれる。
【０００５】
また、そのような真空掘削機としては、例えば特開昭５８−２２２２２８号公報に記載されたものが知られている。この真空掘削機は、吸引用ブロワに連通されたバキュームホースの先端に土砂の吸い込み口を備えたものである。そして、作業者がそのホースの土砂吸い込み口を掘削対象の土壌面に向けて近接させると、ブロワからの吸引力でそこの土砂を吸い上げる。これにより、土中の埋設物を損傷・破壊することなく、土壌を掘り起こすことができる。
【０００６】
そして、これらの破砕機及び真空吸引装置は同時に使用されることが多い。先ず破砕機で土壌を突き崩して吸引に適した状態にしておいて、それから真空掘削装置でその土壌を吸引移送すると、両者の長所が活きて効率よく作業をすることができるからである。さらに、例えば特願平３−１２３０４０号の実施例の如く破砕部と吸引移送部とが一体化された土壌掘削装置もある。これは、破砕部への圧搾空気の供給と吸引移送部からの真空吸引との両方を内燃機関駆動のポンプ装置で行って、土壌を掘り起こすものである。
【０００７】
【従来の技術】
このような内燃機関駆動のポンプ装置は、エンジン（内燃機関）及びコンプレッサ（ポンプ）が通常同一筺体内に収められていて、エンジン駆動のコンプレッサで圧搾空気の供給と真空吸引とを行うようになっている。少なくとも、真空吸引力（負圧吸引力）を発生させる。すなわち、真空吸引力の発生源として機能するために、少なくとも１台のコンプレッサ又はブロワが備えられ、さらに受給電力の制約等のためモータではなくエンジンが具備され、このエンジンで回転力を発生してコンプレッサを駆動するようになっているのである。
【０００８】
【発明が解決しようとする課題】
もっとも、このような従来の内燃機関駆動のポンプ装置では、組込のエンジンやコンプレッサが大型・大出力のものほど高価になることから、一定のコスト制約の下では、あまり大型のものを採用することができず、比較的小型のもので済まさざるを得ない。このため、真空吸引力が限定される。あるいは真空吸引力ばかりか圧力気体の供給量も限定される。そして、これに起因して土壌吸引移送作業や管内吸引作業などの効率を或るレベル以上に引き上げるのは困難であった。
【０００９】
そこで、その解決を図るべく同一出願人により特願平７−８２４１０号の発明がなされた。これは、エンジンの吸排気が有効利用されていない点に着目して工夫・案出されたものであり、要するに、真空吸引力の源としてコンプレッサの吸気に加えてエンジンの吸気も利用するようにして、真空吸引力の増強を達成している。具体的には、市販品である従来の内燃機関駆動のポンプ装置に対し、内燃機関の吸気をポンプの吸気に連通させる連通管路などを付加する改造を施したものである。
【００１０】
ところで、圧力気体供給量と真空吸引量とがバランスしている応用は比較的少なくて、圧力気体が余る一方で真空吸引力は不足するという場合が多い。かかる場合、余った圧力気体は仕事に使われることなく大気に放出されてしまうので、コンプレッサやエンジンが完全に有効利用されているとは言えない。そこで、余った圧力気体も有効利用して真空吸引力の更なる増強を達成することが課題となる。
【００１１】
また、吸引物によっては、エンジン出力低下やコンプレッサ作動不良などの原因となる成分が上澄み等に含まれているため、その種の物質を吸い出してしまうまでは、コンプレッサやエンジンの吸気への吸引を一時的に回避したいこともある。かかる事態にも対処できれば装置の利用範囲が広がり製品価値も上がる。そこで、コンプレッサ等の吸気によらないで真空吸引力を発生することも可能なようにすることが、さらなる課題となる。
【００１２】
この発明は、このような課題を解決するためになされたものであり、内燃機関駆動のポンプ装置による真空吸引力を増強することを目的とする。
また、本発明は、真空吸引力の増強に加えて吸引対象を拡充することも目的とする。
【００１３】
【課題を解決するための手段】
このような課題を解決するために発明された第１，第２の解決手段について、その構成および作用効果を以下に説明する。
【００１４】
［第１の解決手段］
第１の解決手段の内燃機関駆動のポンプ装置は（、出願当初の請求項１に記載の如く）、
内燃機関と、この内燃機関によって駆動されるポンプと、このポンプの吸気を負圧管路等の真空吸引力供給部に連通させる第１連通手段とを具備した内燃機関駆動のポンプ装置において、
前記ポンプの吐気（の全部又は一部）を噴出源として真空吸引力を発生するエゼクタと、
このエゼクタの吸気を前記真空吸引力供給部に連通させる第２連通手段と
を備えたことを特徴とするものである。
【００１５】
このような第１の解決手段の内燃機関駆動のポンプ装置にあっては、ポンプの吐気を噴出源とすることで、エゼクタが吸気作用を行い、新たな真空吸引力が生み出される。そして、エゼクタの吸気が第２連通手段によってポンプの吸気に連通させられて、共に真空吸引力供給部へ供給される。これにより、ポンプの吸気に基づく真空吸引力に加えて、ポンプの吐気に基づく真空吸引力も利用することができるようになる。
【００１６】
したがって、この発明によれば、ポンプの吐気をも利用して真空吸引力を増強することができる。
【００１７】
［第２の解決手段］
第２の解決手段の内燃機関駆動のポンプ装置は（、出願当初の請求項２に記載の如く）、第１の内燃機関駆動のポンプ装置であって、第１連通手段の連通状態を遮断（状態に及び逆向きにも切り換えることが）可能な切換手段を備えたことを特徴とするものである。
【００１８】
このような第２の解決手段の内燃機関駆動のポンプ装置にあっては、第１連通手段が連通状態に維持されているときは、上述したようにポンプの吐気も利用して真空吸引力が増強される。これに対し、第１連通手段が遮断状態に切り換えられたときには、ポンプの吸気側が一時的に真空吸引力供給部から切り離されるので、吸引物がフィルタ等をくぐり抜けてポンプへ入り込むのを防止することができる。なお、この間はエゼクタによって真空吸引がなされるが、エゼクタには機械的可動部や，密閉部，発熱部などが一般に存在しないので、吸引物による制約はほとんどない。これにより、コンプレッサ等の苦手な吸引物でも処理することが可能となる。
【００１９】
したがって、この発明によれば、真空吸引力の増強に加えて吸引対象を拡充することもできる。
【００２０】
【発明の実施の形態】
このような第１，第２の解決手段で達成された本発明の内燃機関駆動のポンプ装置について、これを実施するための形態を説明する。
【００２１】
［第１の実施の形態］
本発明の第１の実施形態は（、出願当初の請求項３に記載の如く）、上述した解決手段の内燃機関駆動のポンプ装置であって、前記内燃機関の吸気（の全部又は一部）を前記ポンプの吸気に連通させる第３連通手段を備えたことを特徴とする。
これにより、内燃機関の吸気がポンプの吸気に連通させられることから、真空吸引力の発生がポンプやエゼクタの吸気ばかりか内燃機関の吸気によってもなされるので、吸気量が更に増える。したがって、真空吸引力を一層増強することができる。
【００２２】
［第２の実施の形態］
本発明の第２の実施形態は（、出願当初の請求項４に記載の如く）、上述した解決手段または実施形態の内燃機関駆動のポンプ装置であって、
前記エゼクタが、前記ポンプの吐気に代えて「前記ポンプの吐気の一部」，「前記内燃機関の排気の全部」，「前記内燃機関の排気の一部」，「前記ポンプの吐気の全部と前記内燃機関の排気の全部との総て」，「前記ポンプの吐気の全部と前記内燃機関の排気の全部との一部」，「前記ポンプの吐気の一部と前記内燃機関の排気の全部との総て」，「前記ポンプの吐気の一部と前記内燃機関の排気の全部との一部」，「前記ポンプの吐気の全部と前記内燃機関の排気の一部との総て」，及び「前記ポンプの吐気の全部と前記内燃機関の排気の一部との一部」のうち何れか１つをその噴出源とするものであることを特徴とする。
これにより、内燃機関の排気などによる真空吸引力のさらなる増強を達成することばかりか、処理対象の特質等に応じて適質な圧力気体を適量だけ真空吸引力の発生に供することができる。
【００２３】
【実施例】
本発明の内燃機関駆動のポンプ装置の一実施例について、その具体的な構成を、図面を引用して説明する。図１は、それを用いた土壌掘削装置の回路図であり、図２は、その全体模式図である。
【００２４】
この土壌掘削装置は、土壌破砕ユニット１０と、土壌吸引ユニット２０と、筺体１００に収納されフレキシブルホース４３を介して土壌破砕ユニット１０へ圧力気体を供給すると共に管路５３を介して土壌吸引ユニット２０へ真空吸引力を供給する内燃機関駆動のポンプ装置（１００）とからなるものである。
先ず、土壌破砕ユニット１０と土壌吸引ユニット２０とを説明してから、内燃機関駆動のポンプ装置を詳述する。
【００２５】
土壌破砕ユニット１０は、土壌の破砕機から圧搾空気の供給部を除いた部分であり、フレキシブルホース４３を介して圧力気体を導入しこれをモータ駆動源及び噴気源として土壌を破砕するものである。このために、このユニット１０は、手で掴むためのハンドル部１１と、これから下方に延びる筒体１２と、筒体１２にその上方部位で接続され筒体１２の内腔に圧力気体を導入する導入管１３と、筒体１２の先端に固設され筒体１２から圧力気体を受けてこれを駆動源として回転軸１５を回転させるエアモータ１４と、回転軸１５に中心位置で固着されて回転する回転板１６とで構成される。そして、回転板１６の回転に伴って、回転板１６の下面に設けられた破砕刃１７が周回運動すると共に、エアモータ１４のドレインポートから回転軸１５そして回転板１６に至るように設けられた貫通孔を通って回転板１６の下方に圧力気体が噴射されるものとなっている。
【００２６】
土壌吸引ユニット２０は、土壌の真空掘削機から真空吸引力の発生・伝達部を除いたものであり、管路５３を介して真空吸引力を導入しこの力で土壌を吸引移送するものである。このために、このユニット２０は、下方先端に土壌吸入口部２１を持った吸引パイプ２２と、内部の土砂収集室２５ａさらにはフィルタ室２５ｂがバキュームダクト２３を介して吸引パイプ２２の上方先端に連通した集土収塵部２５とで構成される。そして、フィルタ室２５ｂの上部に設けられた真空吸引力導入口２５ｃを介して真空吸引されると、土壌７０の一部を巻き込んだ高速の空気流が、吸入口部２１から吸引パイプ２２の内腔さらにはバキュームダクト２３を経て土砂収集室２５ａに至って減速し、さらにフィルタ室２５ｂで細かな塵も除去されて清浄な空気流になるが、土砂収集室２５ａで減速された際にそこに土砂を置き去りにすることで吸引移送した排土を収集するものとなっている。
【００２７】
内燃機関駆動のポンプ装置（１００）は、内燃機関としてのエンジン３０と、これによって駆動されるポンプとしてのコンプレッサ６０と、コンプレッサ６０の吐気にエンジン３０の排気を加えて増強した圧力気体を土壌破砕ユニット１０へ供給するために連結させた高圧側管路４１，４２，４３と、コンプレッサ６０の吸気にエンジン３０のエンジン３０の吸気を加えて増強した真空吸引力を土壌吸引ユニット２０へ供給するために連結させた負圧側管路５１，５２，５３と、圧力気体を利用して真空吸引力を更に増強するために設けられたエゼクタ１０１と、エゼクタ１０１を選択的に作動させる切換弁１０２と、管路５１，管路５２と管路５３との連通状態を遮断可能な切換手段としての切換弁１０３とから構成されている。
【００２８】
エンジン３０は、作動して回転力を発生しこの回転力で回転駆動することによりコンプレッサ６０を作動させるためのものであり、このために出力軸がコンプレッサ６０の駆動軸にカップリングを介して連結されている。また、エンジン３０は、吸気・排気の圧力変動に比較的強いディーゼルエンジンが好ましく、作動時には内部での燃焼のために吸気及び排気を伴うものである。
【００２９】
コンプレッサ６０は、吸気によって真空吸引力を発生すると共に吐気によって高圧空気も発生させるために、レシプロ型コンプレッサやスクリュー型コンプレッサなどが好適である。破砕ユニット１０の破砕能力を十分に引き出すには５〜７ｋｇｆ／ｃｍ2 （約０．５〜０．７ＭＰａ）程度の圧力気体が欲しいところ、これらのタイプのコンプレッサは吐出圧力がその圧力あるいはそれ以上に達するものだからである。もっとも、吐出圧力がそれ以下であってもそれに応じた駆動等が可能なので、要するに空気の吸入とこの吸入空気の圧縮とこの圧縮空気の吐出とを行えるものであればよく、他のタイプのコンプレッサ又はブロワの何れであってもよい。
【００３０】
管路４１，４２，４３は、コンプレッサ６０からの圧縮空気に加えてエンジン３０からの排気をも圧力気体として土壌破砕ユニット１０に送給するためのものである。そこで、これらの管路は、エンジン３０におけるマフラ３２の先端すなわち排気口に一端が接続された管路４１と、コンプレッサ６０の吐出口に一端が接続された管路４２と、一端が管路４２の他端に接続されたフレキシブルホース４３とで構成されている。そして、管路４１の他端が延長されて管路４２に連結され、さらにフレキシブルホース４３の他端が土壌破砕ユニット１０の導入管１３に接続されて、コンプレッサ６０の吐気に加えてエンジン３０の排気も土壌破砕ユニット１０へ供給するようになっている。なお、管路４１の大気解放部には可変絞り弁が介挿されていて、その絞り量等に応じた流量を管路４１から大気へバイパスさせることで、エンジン３０の排気圧力がエンジン３０の作動に重大な影響を及ぼさないように調整可能となっている。この値は、例えばディーゼルエンジンの場合、通常４〜７ｋｇｆ／ｃｍ2 （約０．４〜０．７ＭＰａ）程度である。
【００３１】
管路５１，５２，５３は、コンプレッサ６０の吸入空気に加えてエンジン３０の吸入空気をも真空吸引力の源として土壌吸引ユニット２０から流通させるためのものである。そこで、これらの管路は、エンジン３０におけるエアクリーナ３１の先端すなわち吸気口に一端が接続された管路５１（内燃機関の吸気管路）と、コンプレッサ６０の吸気口に一端が接続された管路５２（ポンプの吸気管路）と、一端が集土収塵部２５の真空吸引力導入口２５ｃに接続された管路５３（真空吸引力供給管路；真空吸引力供給部）とで構成されている。そして、管路５１，５２，５３の他端が、その延長路、及び次に説明する連通管路切換弁１０３を介して連結しあっている（第１，第３連通手段）。これにより、エンジン３０の吸気がコンプレッサ６０の吸気に連通するとともに、これらの吸気の合流した真空吸引力が集土収塵部２５及びバキュームダクト２３を経て土壌吸引ユニット２０へ導入されるようになっている。
【００３２】
エゼクタ１０１は、圧力気体を高速で噴出するノズル１０１ａと、この噴出気体を喉部から続くテーパ部分で膨張させながら大気へ放出することでノズル１０１ａの背後側に真空吸引力を発生させるデフューザ１０１ｂとからなる（図２における一点鎖線楕円内の部分拡大断面詳細図参照）。そして、管路４１，４２からフレキシブルホース４３側へ送られる圧力気体の一部が分流させられてノズル１０１ａの噴出源となるように、ノズル１０１ａとフレキシブルホース４３側管路とが配管接続されている。また、エゼクタ１０１で発生させた真空吸引力も土壌吸引ユニット２０へ供給されるように、デフューザ１０１ｂと管路５３も配管接続されたものとなっている（第２連通手段）。
【００３３】
切換弁１０２は、導通／遮断状態の切換可能な４ポート２位置切換弁であり、エゼクタ１０１と管路（４３，５３）との間の配管に介挿されている。これにより、エゼクタの吸気を真空吸引力供給部に連通させるか否かを適宜選択して切換えることが可能なものとなっている。
【００３４】
切換弁１０３は、導通／遮断状態の切換可能な２ポート２位置切換弁であり、管路５１，５２と管路５３及びエゼクタ１０１との間の配管に介挿されている。これにより、コンプレッサ６０及びエンジン３０の吸気を管路５３等の真空吸引力供給部に連通させるか否かを適宜選択して切換えることが可能なものとなっている。
【００３５】
なお、図示や詳細な説明は割愛するが、エンジン３０等の作動安定を簡易な機構で実現するために、管路５１，５２に対し、エンジン３０側からコンプレッサ６０側への流れを阻止する逆止弁や、外気を導入してエンジン３０の吸気圧をその最小吸気圧以上に保つ圧力制御弁も、設けるのが望ましい。
【００３６】
このような構成のこの実施例の装置について、使用時の動作を説明する。
【００３７】
土壌７０の上部のアスファルト等がパワーショベル等で排出されて、埋設管８０を覆い隠している土壌７０が露出したときが、この土壌掘削装置の出番である。そこで、パワーショベル等を退避させてから、不図示のトラック等で土壌掘削装置を掘削現場に運び込み、内燃機関駆動のポンプ装置（１００）を掘削穴のそばに設置する。また、土壌破砕ユニット１０をフレキシブルホース４３でポンプ装置（１００）に接続させ、さらに土壌吸引ユニット２０等も接続させて、準備を整える。
【００３８】
次に、土壌掘削作業を行うために、すなわち土壌破砕と土壌吸引とを並行して行うために、一方の作業員が土壌破砕ユニット１０のハンドル部１１を持ってその破砕刃１７を土壌７０に向け、他方の作業員が土壌吸引ユニット２０の吸引パイプ２２を持ってその土壌吸入口部２１を土壌７０に向ける。このとき、切換弁１０２は遮断状態に、切換弁１０３は連通状態にセットしておく。
【００３９】
そして、コンプレッサ６０を作動させるためにエンジン３０を始動させると、コンプレッサ６０から圧縮空気が吐出されると共に、エンジン３０からも排気が吐出される。そうすると、これらの圧縮空気と排気とを駆動源として土壌破砕ユニット１０の破砕刃１７が周回運動を行うと共に、やはりこれらの圧縮空気と排気とを噴気源として破砕刃１７下方の土壌に向けて噴気が行われる。そこで、一方の作業員がハンドル部１１を操って破砕刃１７を土壌７０に当接させると、その部分の土塊が、高温の排気を含んだ気体の噴射によって急速に乾燥させられると同時に破砕刃１７によって機械的に砕かれ、あるいは破砕刃１７によって機械的に砕かれると同時に排気等噴射によって細粒化され吹き飛ばされて、土壌が効率良く破砕される。このように駆動源及び噴気源としてコンプレッサ６０からの圧縮空気ばかりでなくエンジン３０の排気も用いられることから、従来よりも圧力気体の流量が増しており、土壌破砕の作業効率が向上している。
【００４０】
また、エンジン３０等の作動中は、コンプレッサ６０で空気吸入がなされると共に、エンジン３０でも吸気がなされる。そうすると、管路５３を介して吸入された空気は、その一部が管路５２を介してコンプレッサ６０に吸入されると同時に、その残りが管路５１を介してエンジン３０に吸入される。そして、これらの吸気を源として土壌吸引ユニット２０に真空吸引力が導入されて、土壌吸入口部２１から外気吸入が行われる。そこで、土壌破砕ユニット１０で破砕された土壌に対し他方の作業員が土壌吸引ユニット２０の吸引パイプ２２を操って土壌吸入口部２１を近接させると、そこの土壌が土壌吸引ユニット２０によって吸引移送されて、次々と土砂収集室２５ａに収集される。このように真空吸引力の源としてコンプレッサ６０の吸入空気ばかりでなくエンジン３０の吸気も用いられることから、従来よりも真空吸引力が増しており、土壌吸引移送の作業効率が向上している。
【００４１】
さらに、作業が進み、破砕作業が特に順調な場合は、破砕済み土壌が貯ってくる。かかる場合は、切換弁１０３は連通状態のままにしておいて、切換弁１０２を遮断状態から連通状態に切り換える。そうすると、フレキシブルホース４３側へ送られていた圧力気体の一部がエゼクタ１０１に供給されて、エゼクタ１０１でも真空吸引力が生み出される。そして、この真空吸引力も、コンプレッサ６０及びエンジン３０による真空吸引力に加わって、管路５３を介して土壌吸引ユニット２０に供給される。そこで、土壌吸引ユニット２０の処理能力が更に高められるので、貯った破砕済み土壌も、速やかに排出される。
【００４２】
こうして、切換弁１０２を適宜操作して土壌破砕ユニット１０とのバランスをとることで、常時、十分な真空吸引力を土壌吸引ユニット２０に供給することができる。
そこで、土壌破砕ユニット１０と土壌吸引ユニット２０とを適宜移動させながら、破砕・吸引後にその下から現れる土壌７０をさらに堀り進めれば、やがて埋設管８０の存在を確認することができる。
【００４３】
ところで、この作業中に、エンジン３０あるいはコンプレッサ６０に吸い込みたくない液体等が埋設管８０から土壌７０に多少漏出していることなどが検知されることもある。かかる場合は、切換弁１０２は連通状態のままにしておいて、切換弁１０３を連通状態から遮断状態に切り換える。そうすると、土壌吸引ユニット２０から集土収塵部２５をくぐり抜けさらに管路５３を経てポンプ装置（１００）に達した吸引物は、総て、切換弁１０２及びエゼクタ１０１を介して放出される。そこで、エンジン３０及びコンプレッサ６０を吸引物に曝すことなく、吸引を継続することができるので、さらに埋設管８０の周囲を慎重に掘り下げればよい。これにより埋設管８０を傷めることなく且つポンプ装置自体も傷めることなく、埋設管８０を露出させることができ、この土壌掘削装置の役目は終了する。
【００４４】
最後に、エンジン３０を停止してから、内燃機関駆動のポンプ装置（１００）やユニット１０，２０等をトラック等に載せて掘削現場から撤去する。
これで、内燃機関駆動のポンプ装置を利用した土壌掘削装置による作業は総て完了する。
【００４５】
【発明の効果】
以上の説明から明らかなように、本発明の第１の解決手段の内燃機関駆動のポンプ装置にあっては、エゼクタを用いてポンプの吐気に基づいて新たな真空吸引力を生み出すようにしたことにより、真空吸引力を増強することができたという有利な効果が有る。
【００４６】
また、本発明の第２の解決手段の内燃機関駆動のポンプ装置にあっては、真空吸引力発生源をポンプ及びエゼクタの吸気とエゼクタだけの吸気とで切り換えられるようにしたことにより、真空吸引力の増強に加えて吸引対象を拡充することもできたという有利な効果を奏する。
【００４７】
さらに、本発明の実施形態の内燃機関駆動のポンプ装置にあっては、内燃機関の吸排気をも利用することにより、真空吸引力を一層増強したり、処理対象の特質等に応じて適質・適量だけ利用したりすることができるという有利な効果が有る。
【図面の簡単な説明】
【図１】  本発明の内燃機関駆動のポンプ装置の一実施例として、それを用いた土壌掘削装置の回路図である。
【図２】    その全体模式図である。
【符号の説明】
１０    土壌破砕ユニット
２０    土壌吸引ユニット
３０    エンジン（原動機；内燃機関）
３１    エアクリーナ（吸気口）
３２    マフラ（排気口）
４１    高圧側の管路
４２    高圧側の管路
４３    フレキシブルホースの管路
５１    負圧側の管路（内燃機関の吸気管路）
５２    負圧側の管路（ポンプの吸気管路）
５３    負圧側の管路（真空吸引力供給管路）
６０    コンプレッサ（圧縮送風機；ポンプ）
７０    土壌
８０    埋設管
１００  筺体
１０１  エゼクタ
１０２  切換弁
１０３  切換弁（切換手段）
１０１ａ  ノズル
１０１ｂ  デフューザ
【図１】
0003904631.tif 000002
【図２】
0003904631.tif 000003